(57)【要約】【課題】液晶表示パネルの各画素の正確な温度を推定することによって、液晶表示パネルが表示する動画像の画質を向上させることができる表示装置及び表示方法を提供する。【解決手段】ＲＯＭ１３には、３種類の第１補正テーブルＲ１〜第３補正テーブルＲ３が記憶されている。演算部２１は、複数個の温度センサ２３，２３，…夫々の検出結果と、バックライト３２による液晶表示パネル１２の各画素の照明状況とに基づいて、液晶表示パネル１２の各画素の正確な温度を推定し、推定結果に基づいて、第１補正テーブルＲ１〜第３補正テーブルＲ３の内の何れかひとつを選択する。画像処理部１１は、画像データに基づいて制御データを生成し、生成した制御データを、演算部２１によって選択された最適な補正テーブルＲを用いて補正する。液晶表示パネル１２は、画像処理部１１によって適切に補正された制御データに従って、画質が向上された動画像を表示する。【選択図】図１
2010262240.tif 000002
【特許請求の範囲】
【請求項１】
時系列的に入力される画像データに基づいて生成される制御データに従って動画像を表示する表示パネルと、
該表示パネルの各部を個別に照明するバックライトと、
配置位置の温度を夫々検出する複数個の温度センサと、
前記制御データを生成するための複数種類の生成手段と
を備える表示装置において、
前記温度センサ夫々の検出結果、及び前記バックライトによる前記表示パネルの各画素の照明状況に基づいて、前記表示パネルの各画素の温度を推定する温度推定手段と、
該温度推定手段の推定結果に基づいて、前記生成手段の何れかひとつを選択する選択手段と
を備え、
該選択手段が選択した生成手段を用いて、前記制御データを生成するようにしてあることを特徴とする表示装置。
【請求項２】
前記温度推定手段は、
各温度センサの検出結果に基づいて、前記温度センサの配置位置に対応する画素の温度を推定する手段と、
前記バックライトが第１輝度で照明する画素同士が隣接する第１領域と、前記バックライトが前記第１輝度とは異なる第２輝度で照明する画素同士が隣接する第２領域との境界部に位置する画素夫々の温度を、前記第１領域に含まれ、且つ既に温度が推定されている第１画素の温度と、前記第２領域に含まれ、且つ既に温度が推定されている第２画素の温度とに基づいて推定する手段と、
前記第１領域に含まれる前記境界部に位置する画素を除く画素の温度を、前記第１画素の温度に基づいて推定する手段と、
前記第２領域に含まれる前記境界部に位置する画素を除く画素の温度を、前記第２画素の温度に基づいて推定する手段と
を有することを特徴とする請求項１に記載の表示装置。
【請求項３】
前記表示パネルに表示される動画像の変動を検知する変動検知手段を更に備え、
前記選択手段は、前記温度推定手段の推定結果及び前記変動検知手段の検知結果に基づいて、前記生成手段の何れかひとつを選択するようにしてあることを特徴とする請求項１又は２に記載の表示装置。
【請求項４】
時系列的に入力される画像データに基づいて生成される制御データに従って動画像を表示する表示パネルと、
該表示パネルの各部を個別に照明するバックライトと、
配置位置の温度を夫々検出する複数個の温度センサと、
前記制御データを生成するための複数種類の生成手段と
を備える表示装置にて動画像を表示する表示方法において、
前記温度センサ夫々の検出結果、及び前記バックライトによる前記表示パネルの各画素の照明状況に基づいて、前記表示パネルの各画素の温度を推定し、
推定した温度に基づいて、前記生成手段の何れかひとつを選択し、
選択した生成手段を用いて、前記制御データを生成することを特徴とする表示方法。
【発明の詳細な説明】
【技術分野】
【０００１】
本発明は、動画像を表示する表示装置及び表示方法に関する。
【背景技術】
【０００２】
バックライトによって照明される非発光型の表示パネルとして、液晶表示パネルが広く利用されている。液晶表示パネルは、例えば液晶テレビジョン装置のような液晶表示装置に備えられている。
液晶表示パネルにおいては、液晶に電圧が印加されることによって画像が表示される。液晶に印加すべき電圧を制御するための制御データは、画像データに基づいて生成される。
【０００３】
液晶表示パネルが表示する動画像の画質を向上させるために、従来、液晶表示装置に入力された画像データ（以下、入力画像データという）を制御データに変換するための変換テーブルを参照することによって、制御データを生成する技術が提案されている（特許文献１，２参照）。この場合、入力画像データに含まれる各画素値と、入力画像データの１フレーム前に入力された画像データに含まれる各画素値とに基づいて、制御データに含まれる各制御値が決定される。
【０００４】
液晶の応答速度は、温度依存性が非常に大きい。ところが、液晶表示パネルの温度分布は不均一である。従って、画質を大幅に向上させるためには、液晶表示パネルの代表温度を適切に求め、求めた代表温度の高低に応じて、制御データを生成する際に参照すべき変換テーブルを切り替える必要がある。
【０００５】
特許文献１，２に開示されている液晶表示装置においては、液晶表示パネルを仮想的に４分割してなる矩形領域夫々に対応して温度センサが配置されている。このような液晶表示装置は、４個の温度センサの検出結果の平均値、最大値、若しくは最小値、又は、表示される動画像の動きが最も大きい矩形領域に対応する温度センサの検出結果等を、液晶表示パネルの代表温度として用いるよう構成されている。
【０００６】
ところで、従来、マトリクス状に配置されている複数個の光源（例えばＬＥＤ）を有するバックライトが用いられている。複数個の光源は、表示パネルを仮想的に分割してなる複数個の表示領域に対応して配置されている。
このようなバックライトに対しては、画像データに基づいて、各光源を点灯／消灯させたり、点灯している光源の輝度を調節したりするローカル・ディミング制御が実行される。この結果、各表示領域が、各表示領域に表示される動画像の色及び明るさ等に適した輝度で照明される。
【先行技術文献】
【特許文献】
【０００７】
【特許文献１】特開２００４−１６３８７０号公報
【特許文献２】特開２００７−２２６２６２号公報
【発明の概要】
【発明が解決しようとする課題】
【０００８】
変換テーブルを適切に切り替えるためには、液晶表示パネルの詳細な温度分布を得ることが望ましい。
このために、例えば、複数個の温度センサ夫々の検出結果を、液晶表示パネルにおける各温度センサの配置位置に対応する画素（以下、センサ対応画素という）の温度と看做し、一のセンサ対応画素と他のセンサ対応画素との間に位置する各画素の温度を、一のセンサ対応画素の温度と他のセンサ対応画素の温度とを用いた線形補完によって推定することが考えられる。
【０００９】
ところが、ローカル・ディミング制御が実行されるバックライトの場合、点灯している光源（又は、輝度が高い光源）に照明される表示領域の温度は、消灯されている光源（又は、輝度が低い光源）に照明される表示領域の温度よりも高い。
従って、単純な線形補完のみでは、推定された温度と、液晶表示パネルの実際の温度とが大きく異なる虞がある。
【００１０】
本発明は斯かる事情に鑑みてなされたものであり、その主たる目的は、複数個の温度センサ夫々の検出結果と、バックライトによる表示パネルの各画素の照明状況とに基づいて、表示パネルの各画素の温度を推定し、推定結果及び画像データに基づいて制御データを生成し、生成した制御データに従って動画像を表示する構成とすることにより、表示される動画像の画質を向上させることができる表示装置及び表示方法を提供することにある。
【課題を解決するための手段】
【００１１】
本発明に係る表示装置は、時系列的に入力される画像データに基づいて生成される制御データに従って動画像を表示する表示パネルと、該表示パネルの各部を個別に照明するバックライトと、配置位置の温度を夫々検出する複数個の温度センサと、前記制御データを生成するための複数種類の生成手段とを備える表示装置において、前記温度センサ夫々の検出結果、及び前記バックライトによる前記表示パネルの各画素の照明状況に基づいて、前記表示パネルの各画素の温度を推定する温度推定手段と、該温度推定手段の推定結果に基づいて、前記生成手段の何れかひとつを選択する選択手段とを備え、該選択手段が選択した生成手段を用いて、前記制御データを生成するようにしてあることを特徴とする。
【００１２】
本発明に係る表示装置は、前記温度推定手段は、各温度センサの検出結果に基づいて、前記温度センサの配置位置に対応する画素の温度を推定する手段と、前記バックライトが第１輝度で照明する画素同士が隣接する第１領域と、前記バックライトが前記第１輝度とは異なる第２輝度で照明する画素同士が隣接する第２領域との境界部に位置する画素夫々の温度を、前記第１領域に含まれ、且つ既に温度が推定されている第１画素の温度と、前記第２領域に含まれ、且つ既に温度が推定されている第２画素の温度とに基づいて推定する手段と、前記第１領域に含まれる前記境界部に位置する画素を除く画素の温度を、前記第１画素の温度に基づいて推定する手段と、前記第２領域に含まれる前記境界部に位置する画素を除く画素の温度を、前記第２画素の温度に基づいて推定する手段とを有することを特徴とする。
【００１３】
本発明に係る表示装置は、前記表示パネルに表示される動画像の変動を検知する変動検知手段を更に備え、前記選択手段は、前記温度推定手段の推定結果及び前記変動検知手段の検知結果に基づいて、前記生成手段の何れかひとつを選択するようにしてあることを特徴とする。
【００１４】
本発明に係る表示方法は、時系列的に入力される画像データに基づいて生成される制御データに従って動画像を表示する表示パネルと、該表示パネルの各部を個別に照明するバックライトと、配置位置の温度を夫々検出する複数個の温度センサと、前記制御データを生成するための複数種類の生成手段とを備える表示装置にて動画像を表示する表示方法において、前記温度センサ夫々の検出結果、及び前記バックライトによる前記表示パネルの各画素の照明状況に基づいて、前記表示パネルの各画素の温度を推定し、推定した温度に基づいて、前記生成手段の何れかひとつを選択し、選択した生成手段を用いて、前記制御データを生成することを特徴とする。
【００１５】
本発明にあっては、例えば、本発明の表示装置を用いて本発明の表示方法を実行する。
本発明の表示装置は、表示パネル、バックライト、複数個の温度センサ、及び複数種類の生成手段を備える。また、本発明の表示装置は、温度推定手段、及び選択手段を更に備える。
【００１６】
バックライトは、表示パネルの各部を個別に照明する。以下では、バックライトによって照明される表示パネルの各部を表示パネルの各表示領域という。
このようなバックライトは、温度が不均一な熱源である、と看做せる。何故ならば、バックライトの高輝度で（又は低輝度で）表示領域を照明している部分は、高温の（又は低温の）熱源である、と看做せるからである。
各温度センサは、自身の配置位置の温度を検出する。仮に、温度センサの検出結果のみに基づいて表示パネルの各画素の温度を推定する場合、表示パネルの詳細な温度分布は得られる。しかしながら、温度が不均一な熱源であるバックライトの存在が考慮されていないため、推定された各画素の温度は、実際の温度とは大幅に異なる虞がある。
【００１７】
そこで、温度推定手段は、複数個の温度センサ夫々の検出結果と、バックライトによる表示パネルの各画素の照明状況（例えば各画素に対する輝度の高低）とに基づいて、表示パネルの各画素の温度を推定する。この場合、表示パネルの正確且つ詳細な温度分布が得られる。
【００１８】
ここで、各生成手段は、時系列的に入力される画像データに基づいて制御データを生成するためのものである。同一の画像データに基づき、複数種類の生成手段夫々を用いて生成される制御データは、互いに異なる。
選択手段は、温度推定手段の推定結果に基づいて、複数種類の生成手段の何れかひとつを選択する。生成手段を選択する際に、表示パネルの正確且つ詳細な温度分布を考慮することができるため、選択手段は、表示パネルの応答速度の温度依存性に応じた最適な生成手段を選ぶことができる。
以上のように選択された生成手段を用いて、制御データが生成される。表示パネルは、生成された制御データに従って、動画像を表示する。
【００１９】
本発明にあっては、温度推定手段が、まず、各温度センサの配置位置に対応する画素の温度を、各温度センサの検出結果に基づいて推定する。従って、少なくとも温度センサの個数と同数個の画素夫々の温度が推定される。
以下では、温度推定手段によって推定された温度を推定温度という。
各温度センサの配置位置に対応する画素の温度を推定した後、温度推定手段は、各温度センサの配置位置に対応する画素以外の画素の温度を推定する。
【００２０】
このために、温度推定手段は、第１領域と第２領域との境界部に位置する画素夫々の温度を、第１領域に含まれる第１画素の推定温度と第２領域に含まれる第２画素の推定温度とに基づいて推定する。
更に、温度推定手段は、第１領域に含まれる境界部に位置する画素を除く画素（即ち第１領域の中央部に位置する画素）の温度を、第１画素の推定温度に基づいて推定する。また、温度推定手段は、第２領域に含まれる境界部に位置する画素を除く画素（即ち第２領域の中央部に位置する画素）の温度を、第２画素の推定温度に基づいて推定する。
【００２１】
第１領域は、バックライトが第１輝度で照明する画素同士が隣接する領域である。このため、第１領域の中央部に位置する各画素の温度は略等しい、と看做せる。
一方、第１領域の第２領域との境界部に位置する画素夫々の温度は、第１領域の中央部に位置する各画素の温度とは異なる、と考えられる。何故ならば、第２領域との境界部は、第２領域の影響を強く受けるからである。
【００２２】
同様に、第２領域は、バックライトが第２輝度で照明する画素同士が隣接する領域である。このため、第２領域の中央部に位置する各画素の温度は略等しい、と看做せる。また、第２領域の第１領域との境界部に位置する画素夫々の温度は、第２領域の中央部に位置する各画素の温度とは異なる、と考えられる。何故ならば、第１領域との境界部は、第１領域の影響を強く受けるからである。
【００２３】
従って、境界部に位置する各画素の温度は、第１画素の推定温度と第２画素の推定温度とに基づいて推定することによって、正確な温度を推定することができる。一方、第１領域（又は第２領域）の中央部に位置する各画素の温度は、第２画素（又は第１画素）の推定温度とは無関係に、第１画素（又は第２画素）の推定温度に基づいて推定することによって、正確な温度を推定することができる。
【００２４】
本発明にあっては、変動検知手段が、表示パネルに表示される動画像の変動を検知する。
表示装置のユーザは、表示パネルに表示される動画像の変動が大きい部分に注目し易い。従って、表示パネルのユーザに注目され易い部分の温度に基づいて生成手段を選択することが望ましい。
そこで、選択手段は、温度推定手段の推定結果と変動検知手段の検知結果とに基づいて、生成手段の何れかひとつを選択する。
この結果、表示パネルのユーザに注目され易い部分に表示される動画像の画質を十分に向上させることができる。
【発明の効果】
【００２５】
本発明の表示装置及び本発明の表示方法による場合、バックライトを、温度が不均一な熱源と看做し、各画素の温度を推定する際に、バックライトの高温部分及び低温部分夫々の配置位置を考慮することができる。
このため、複数個の温度センサ夫々の検出結果とバックライトによる各画素の照明状況とに基づいて、表示パネルの正確且つ詳細な温度分布を得ることができる。
【００２６】
更に、表示パネルの正確且つ詳細な温度分布に基づいて、制御データを生成する際に用いるテーブル又は関数等を適切に切り替えることができる。表示パネルの温度分布に応じた適切な制御データを生成することができる。
以上の結果、表示パネルが表示する動画像の画質を向上させることができる。
【図面の簡単な説明】
【００２７】
【図１】本発明の実施の形態１に係る表示装置の要部構成を示すブロック図である。
【図２】本発明の実施の形態１に係る表示装置が備える液晶表示パネルの温度分布を示す特性図である。
【図３】本発明の実施の形態１に係る表示装置が備えるＲＡＭに記憶してある温度ＬＵＴの一例を示す模式図である。
【図４】本発明の実施の形態１に係る表示装置で実行される画像演算処理の手順を示すフローチャートである。
【図５】本発明の実施の形態１に係る表示装置で実行される画像演算処理の手順を示すフローチャートである。
【図６】本発明の実施の形態１に係る表示装置で実行される温度分布推定処理手順のサブルーチンを示すフローチャートである。
【図７】本発明の実施の形態１に係る表示装置で実行される温度分布推定処理手順のサブルーチンを示すフローチャートである。
【図８】本発明の実施の形態１に係る表示装置で実行される補正テーブル選択処理手順のサブルーチンを示すフローチャートである。
【図９】本発明の実施の形態２に係る表示装置が備える液晶表示パネルの温度分布を示す特性図である。
【図１０】本発明の実施の形態３に係る表示装置の要部構成を示すブロック図である。
【発明を実施するための形態】
【００２８】
以下、本発明を、その実施の形態を示す図面に基づいて詳述する。
【００２９】
実施の形態  １．
図１は、本発明の実施の形態１に係る表示装置１の要部構成を示すブロック図である。
表示装置１は、画像受信部１０、画像処理部１１、液晶表示パネル１２、ＲＯＭ１３、フレームメモリ１４、演算部２１、ＲＡＭ２２、温度センサ２３，２３，…、バックライト制御部３１、及びバックライト３２を備える。
また、表示装置１は、チューナ、ＤＶＤプレーヤ、サーバ、又はパーソナルコンピュータ本体等の図示しない画像送信装置に接続されている。
【００３０】
画像受信部１０は、画像送信装置から表示装置１へ時系列的に送信される画像データを受信し、受信した画像データを１フレーム分ずつ、画像処理部１１、フレームメモリ１４、及びバックライト制御部３１夫々へ出力する。なお、画像受信部１０がチューナ機能を有し、受信したテレビジョン放送信号を信号変換してなる画像データを所定の各部へ出力する構成でもよい。又は、表示装置１が備える図示しない外部記憶装置又は副記憶装置等から読み出した画像データを所定の各部へ出力する構成でもよい。
【００３１】
フレームメモリ１４は、自身に入力された１フレーム分の画像データを記憶することが可能な先入れ先出し型の画像メモリである。フレームメモリ１４に記憶されている画像データは、この画像データの１フレーム後の画像データがフレームメモリ１４に入力される場合に、フレームメモリ１４から読み出されて、画像処理部１１へ出力される。
つまり、画像処理部１１には、画像受信部１０から出力された画像データ（以下、現在画像データという）と、フレームメモリ１４から出力された画像データ（以下、過去画像データという）とが入力される。過去画像データは、現在画像データの１フレーム前の画像データである。以下では、現在画像データと過去画像データとを区別しない場合は、単に画像データという。
【００３２】
液晶表示パネル１２は、図示しない２枚の透光基板間にマトリクス状に配置されている多数個の液晶部（図中「ＬＣ」）１２１，１２１，…を備える。各液晶部１２１は、液晶表示パネル１２の画素に対応する。また、各液晶部１２１は、画像データの各画素に対応する。
【００３３】
液晶表示パネル１２には、画像データに対応する制御データが１フレーム分ずつ時系列的に入力される。制御データには、各画素に対応する制御値が含まれている。ここで、各画素に対応する制御値とは、液晶表示パネル１２が、各液晶部１２１に印加すべき電圧を制御するためのものである。液晶表示パネル１２は、入力された制御データに従って、各液晶部１２１に電圧を印加する。各液晶部１２１に印加される電圧の電圧値が適切であれば、液晶表示パネル１２には、高画質の動画像が表示される。
【００３４】
画像処理部１１は、入力された現在画像データに基づいて仮の制御データを生成し、次いで、生成した仮の制御データを、後述するように補正することによって、液晶表示パネル１２へ出力すべき制御データを生成する。次いで、画像処理部１１は、生成した制御データを、液晶表示パネル１２へ出力する。
ＲＯＭ１３には、３種類の第１補正テーブルＲ１、第２補正テーブルＲ２、及び第３補正テーブルＲ３夫々が記憶されている。以下では、これらを区別しない場合、単に補正テーブルＲという。補正テーブルＲは、液晶表示パネル１２の光学応答特性を補償するためのものであり、補償の度合いが互いに異なる。
【００３５】
各補正テーブルＲは、現在画像データの各画素値と、過去画像データの各画素値との組み合わせに基づいて、仮の制御データを補正するための補正値を得るためのものである。たとえ、現在画像データの画素値と、過去画像データの画素値との組み合わせが同じであっても、第１補正テーブルＲ１を参照した場合と、第２補正テーブルＲ２を参照した場合と、第３補正テーブルＲ３を参照した場合とでは、得られる補正値は異なることがある。このような第１補正テーブルＲ１、第２補正テーブルＲ２、及び第３補正テーブルＲ３は、本発明の複数種類の生成手段として機能する。
【００３６】
補正テーブルＲの選択は、後述するように、演算部２１が実行する。演算部２１は、現在画像データに含まれる各画素について、選択すべき補正テーブルＲの種類を示す選択信号を画像処理部１１へ出力する。
仮の制御データを補正する場合、画像処理部１１は、自身に入力された選択信号に対応する補正テーブルＲを参照し、入力された現在画像データの各画素値と過去画像データの各画素値との組み合わせに基づいて、仮の制御データを補正するための補正値を得る。そして、画像処理部１１は、得られた補正値を用いて、仮の制御データの各制御値を補正する。
【００３７】
ところで、画像処理部１１に入力される選択信号は、画素毎に異なる可能性がある。つまり、補正テーブルＲは、画素毎に切り替えられる可能性がある。従って、仮の制御データに含まれる各制御値は、異なる補正テーブルＲを参照して補正されることもあれば、同一の補正テーブルＲを参照して補正されることもある。以上の結果、仮の制御データに含まれる各制御値を画素毎に木目細かく補正することができる。
なお、補正テーブルＲの種類数は３種類に限定されるものではなく、２種類、又は４種類以上でもよい。
【００３８】
また、１個のＲＯＭ１３に、３種類全ての補正テーブルＲが記憶される構成に限定されるものではなく、３個のＲＯＭ１３，１３，…夫々に一対一対応で第１補正テーブルＲ１、第２補正テーブルＲ２、及び第３補正テーブルＲ３が記憶される構成でもよい。
更に、生成手段は、補正テーブルＲに限定されるものではなく、制御値を補正するための関数であってもよい。また、生成手段は、現在画像データ及び過去画像データ夫々の画素値を用いて制御データの制御値を直接的に（即ち、仮の制御データを生成することなく）求めるためのテーブル又は関数であってもよい。
【００３９】
更にまた、表示装置１は、画素毎に選択信号が入出力される構成に限定されるものではない。表示装置１は、例えば、複数個の画素が含まれる矩形ブロック毎に選択信号が入出力される構成でもよい。この場合、補正テーブルＲは、最多でも１ブロック毎に切り替えられるため、液晶表示パネル１２に表示される動画のちらつきが抑制される。或いは、表示装置１は、１フレーム毎に選択信号が入出力される構成でもよい。この場合、補正テーブルＲは、最多でも１フレーム毎に切り替えられるため、液晶表示パネル１２に表示される動画のちらつきが更に抑制される。
【００４０】
また、表示装置１は、画像処理部１１及びＲＯＭ１３を備える構成に限定されるものではない。例えば、表示装置１は、第１補正テーブルＲ１、第２補正テーブルＲ２、及び第３補正テーブルＲ３を一対一対応で内蔵する３種類の画像処理部を備え、演算部２１は、選択すべき画像処理部の種類を示す選択信号を画像受信部１０及びフレームメモリ１４夫々へ出力する構成でもよい。
【００４１】
この場合、画像受信部１０及びフレームメモリ１４夫々は、自身に入力された選択信号に対応する画像処理部へ、現在画像データ及び過去画像データを出力する。現在画像データ及び過去画像データが入力された画像処理部は、入力された現在画像データ及び過去画像データに基づいて制御データを生成する。このような画像処理部は、生成手段として機能する。
【００４２】
ところで、一般に、液晶表示パネル１２は、応答速度が遅い。このため、残像が生じ易く、中間調を正確に表示し難いという問題を有する。画像処理部１１で実行される制御データ補正処理は、この問題を解決するためのものである。
ただし、液晶表示パネル１２の応答速度の遅速は、液晶表示パネル１２の温度の高低に大きく依存する。
このため、仮に、液晶表示パネル１２の温度分布が均一であれば、表示装置１は、液晶表示パネル１２の一部の温度を検出し、検出した温度に応じた制御データ補正処理を行なうための補正テーブルＲを選択し、選択した補正テーブルＲを参照して、仮の制御データの各制御値を補正すればよい。
【００４３】
しかしながら、液晶表示パネル１２の温度が不均一である。従って、各制御値を適切に補正するためには、液晶表示パネル１２の詳細な温度分布を用いて補正テーブルＲを選択し、選択した補正テーブルＲを参照して、仮の制御データの各制御値を補正する必要がある。
液晶表示パネル１２の最も正確且つ詳細な温度分布を得るためには、液晶表示パネル１２の画素毎に温度センサを配置して各画素の温度を検出すればよいが、このような構成は現実的ではない。
【００４４】
本実施の形態においては、液晶表示パネル１２の背面に対面させて、Ｎ個の温度センサ（図中「ＴＳ」）２３，２３，…がマトリクス状に配置されている。更に詳細には、Ｎ個の温度センサ２３，２３，…は、液晶表示パネル１２を仮想的に分割してなるＮ個の矩形表示領域に対応させて配置されている。
ただし、“Ｎ”は“２”以上の自然数であり、個数Ｎは、液晶表示パネル１２の液晶部１２１，１２１，…の個数よりも大幅に少ない。
【００４５】
各温度センサ２３は、所定のサンプリングタイム毎に、自身の配置位置の温度を検出し、検出した温度（以下、温度検出結果という）を、演算部２１へ出力する。
本実施の形態では、各温度センサ２３の温度検出結果は、温度センサ２３の配置位置に対応する矩形表示領域の中心に位置する画素の温度に等しい、と看做す。
【００４６】
液晶表示パネル１２の各矩形表示領域には、互いに同数個の液晶部１２１，１２１，…（例えば縦５個×横５個の液晶部１２１，１２１，…）が含まれている。
なお、各矩形表示領域に含まれる液晶部１２１，１２１，…の個数が異なる構成でもよい。この場合、例えば、液晶表示パネル１２の中央部の矩形表示領域には３個×３個の液晶部１２１，１２１，…が含まれ、液晶表示パネル１２の周縁部の矩形表示領域には５個×５個の液晶部１２１，１２１，…が含まれる。
【００４７】
ところで、液晶表示パネル１２の温度分布が不均一になる大きな原因は、バックライト３２の存在である。
バックライト３２は、Ｎ個の矩形表示領域を個別に照明する。このために、バックライト３２は、液晶表示パネル１２の背面に対面させて、Ｎ個の発光ダイオード（ＬＥＤ）３２１，３２１，…がマトリクス状に配置されている。更に詳細には、Ｎ個のＬＥＤ３２１，３２１，…は、Ｎ個の矩形表示領域に対応させて配置されている。各ＬＥＤ３２１は、対応する矩形表示領域を照明する。
【００４８】
なお、バックライト３２は、Ｎ個のＬＥＤ３２１，３２１，…がマトリクス状に配置されている構成に限定されるものではない。例えば、バックライト３２は、複数本の蛍光ランプが互いに平行に配置されている構成であってもよい。
【００４９】
また、各温度センサ２３が対応する矩形表示領域と各ＬＥＤ３２１が照明する矩形表示領域とは、配置位置、形状、又は個数等が異なっていてもよい。
ただし、温度センサ２３，２３，…の個数は、ＬＥＤ３２１，３２１，…の個数以上であることが望ましい。この場合、各ＬＥＤ３２１が照明する矩形表示領域に対応させて、少なくとも１個の温度センサ２３を配置すれば、後述する図４及び図５で示した画像演算処理と同様の手順で液晶表示パネル１２の各画素の温度を推定することができる。
【００５０】
本実施の形態では、説明を簡単にするために、各温度センサ２３が対応する矩形表示領域と、各ＬＥＤ３２１が照明する矩形表示領域とが一致する場合を例示する。
【００５１】
バックライト３２には、後述するバックライト制御部３１から、各ＬＥＤ３２１の輝度を示す輝度信号が入力される。バックライト３２は、入力された輝度信号に応じた輝度で各ＬＥＤ３２１を点灯させる。ただし、入力された輝度信号が輝度０を示す場合、バックライト３２は、各ＬＥＤ３２１を消灯させる。
【００５２】
バックライト制御部３１は、バックライト３２に対してローカル・ディミング制御を実行する。このために、バックライト制御部３１は、自身に入力された現在画像データに基づいて、ＬＥＤ３２１，３２１，…夫々の輝度を演算し、演算結果に応じた輝度信号を、演算部２１及びバックライト３２夫々へ出力する。更に詳細には、バックライト制御部３１は、現在画像データの画素値に基づき、現在画像データが液晶表示パネル１２に入力された場合に各矩形表示領域に表示される画像の明るさ及び色等を演算し、演算結果に応じて、各矩形表示領域を証明するＬＥＤ３２１の輝度を演算し、演算結果に応じた輝度信号を、演算部２１及びバックライト３２夫々へ出力する。
従って、各ＬＥＤ３２１の輝度は、最多の場合、１フレーム毎に変化する。
【００５３】
以上の結果、バックライト３２は、各矩形表示領域を、各矩形表示領域に表示される動画像の色及び明るさ等に適した輝度で照明する。具体的には、明るい動画、又は目立つ色の動画が表示される矩形表示領域（即ち、ユーザが注目し易い矩形表示領域）は、高い輝度で照明され、暗い動画、又は目立たない色の動画が表示される矩形表示領域（即ち、ユーザが注目し難い矩形表示領域）は、低い輝度で照明される。
【００５４】
輝度が高い（又は輝度が低い）ＬＥＤ３２１は、高温の（又は低温の）熱源として作用する。この結果、高温の（又は低温の）熱源であるＬＥＤ３２１に照明される矩形表示領域の温度は高く（又は低く）なりがちである。従って、液晶表示パネル１２の温度分布は不均一であり、且つ、経時変化する。
ここで、液晶表示パネル１２（又は画像データ）の主走査方向及び副走査方向を、ｘ座標方向及びｙ座標方向とする。このとき、座標（ｘ，ｙ）は各画素の位置を示す。換言すれば、座標（ｘ，ｙ）によって各画素を特定することができる。以下では、ｘ方向及びｙ方向の座標値ｘ，ｙ夫々の最大値を最大座標値ｘmax ，ｙmax とし、座標値ｘ，ｙ夫々の値を、１≦ｘ，ｙ≦ｘmax ，ｙmax の自然数であるものとする。
【００５５】
図２は、液晶表示パネル１２の温度分布を示す特性図である。
更に詳細には、図２に示す温度分布は、ｙ座標値ｙ1 の位置のｘ軸方向の温度分布である。図中、横軸は、液晶表示パネル１２の各画素のｘ座標値を示している。縦軸は各画素の温度と、各画素を照明するバックライト３２の輝度とを示している。温度は折線グラフで表わし、輝度は棒グラフで表わしている。輝度Ｌ1 ，Ｌ2 は、０＜Ｌ1 ＜Ｌ2 である。
【００５６】
破線で示されているグラフＧ１は、実際の温度分布を表わしている。
細い実線で示されているグラフＧ２は、Ｎ個の温度センサ２３，２３，…夫々の温度検出結果を線形補完することによって推定した温度分布を表わしている。
太い実線で示されているグラフＧ３は、Ｎ個の温度センサ２３，２３，…夫々の温度検出結果とバックライト３２による液晶表示パネル１２の各画素の照明状況とに基づいて推定した温度分布を表わしている。
【００５７】
図中、座標（ｘ1 ，ｙ1 ），（ｘ2 ，ｙ1 ），…の画素は、温度センサ２３，２３，…が対応する矩形表示領域の中心画素である。
座標（ｘ1 ，ｙ1 ），（ｘ2 ，ｙ1 ），…の画素の温度は温度Ｔ11，Ｔ21，…であり、座標（ｘ1 ，ｙ1 ），（ｘ2 ，ｙ1 ），…の画素を含む矩形表示領域に対応する温度センサ２３，２３，…は、温度Ｔ11，Ｔ21，…を検出する。
【００５８】
例えば、座標（ｘ1 ，ｙ1 ）と座標（ｘ2 ，ｙ1 ）との間に位置する画素夫々の温度を推定したい場合、座標（ｘ1 ，Ｔ11）及び座標（ｘ2 ，Ｔ21）に基づいて一次関数を求め、求めた一次関数である下記の式（１）に、温度を推定したい画素のｘ座標値を代入して推定温度Ｔを計算することが最も簡易な手法である。
Ｔ＝｛（Ｔ21−Ｔ11）／（ｘ2 −ｘ1 ）｝ｘ＋（Ｔ11×ｘ2 −Ｔ21×ｘ1 ）／（ｘ2 −ｘ1 ）…（１）
【００５９】
このような手法を、座標（ｘ2 ，ｙ1 ）と座標（ｘ3 ，ｙ1 ）との間、座標（ｘ3 ，ｙ1 ）と座標（ｘ4 ，ｙ1 ）との間、…について繰り返し実行することによって、ｙ座標値ｙ1 の位置のｘ軸方向の温度分布が得られる。図２に示すグラフＧ２は、この手法で求めたものである。
【００６０】
ところで、座標（ｘ1 ，ｙ1 ），（ｘ4 ，ｙ1 ），（ｘ6 ，ｙ1 ），（ｘ8 ，ｙ1 ）の画素を夫々含む矩形表示領域を照明するＬＥＤ３２１，３２１，…は、夫々輝度０である（即ち消灯している）。また、座標（ｘ2 ，ｙ1 ），（ｘ3 ，ｙ1 ），（ｘ5 ，ｙ1 ）の画素を夫々含む矩形表示領域を照明するＬＥＤ３２１，３２１，…は、夫々輝度Ｌ2 である。更に、座標（ｘ7 ，ｙ1 ）の画素を含む矩形表示領域を照明するＬＥＤ３２は、輝度Ｌ1 である。
ここで、実際の温度分布を示すグラフＧ１と、推定した温度分布を示すグラフＧ２，Ｇ３との比較について具体的に説明する。
【００６１】
座標（ｘ3 ，ｙ1 ）を含む矩形表示領域は、バックライト３２が輝度Ｌ2 で照明しており、座標（ｘ4 ，ｙ1 ）を含む矩形表示領域は、バックライト３２が輝度０で照明で照明している。
グラフＧ１が示しているように、座標（ｘ3 ，ｙ1 ）を含む矩形表示領域の中心部における実際の温度分布は、高い温度で略均一である。また、座標（ｘ4 ，ｙ1 ）を含む矩形表示領域の中心部における実際の温度分布は、低い温度で略均一である。各矩形表示領域における温度の高低は、各矩形表示領域を照明するバックライト３２の輝度の高低に対応している。
【００６２】
一方、座標（ｘ3 ，ｙ1 ）を含む矩形表示領域と座標（ｘ4 ，ｙ1 ）を含む矩形表示領域との境界部における実際の温度分布は、輝度が高い方から低い方へ、緩やかに温度が低下している。
従って、グラフＧ１とグラフＧ２とを比較すれば、線形補完によって求めた温度分布は、実際の温度分布とは大幅に異なることがわかる。
【００６３】
そこで、演算部２１は、温度センサ２３，２３，…夫々から入力された温度検出結果と、バックライト制御部３１から入力された輝度信号とに基づいて、液晶表示パネル１２の各画素の温度を推定する。
バックライト制御部３１から入力された輝度信号は、各ＬＥＤ３２１の輝度を示する。各ＬＥＤ３２１は、液晶表示パネル１２の各矩形表示領域に対応する。本実施の形態における演算部２１は、バックライト３２による液晶表示パネル１２の各画素の照明状況として、各画素が含まれる矩形表示領域に対応するＬＥＤ３２１の輝度を用いる。
このような演算部２１は、本発明における温度推定手段として機能する。
【００６４】
また、演算部２１は、推定した各画素の温度を、各画素の座標（ｘ，ｙ）に関連付けてＲＡＭ２２に記憶させることによって、温度ＬＵＴ（Look Up Table ）を生成する。
【００６５】
図３は、ＲＡＭ２２に記憶してある温度ＬＵＴの一例を示す模式図である。
座標（３，３），（３，８），…の画素のように、ハッチングで示されている画素は、温度センサ２３，２３，…に対応する画素である。
温度ＬＵＴを参照すれば、例えば座標（１，１）の画素の温度が１０℃であり、座標（２，３）の画素の温度が２０℃であることが容易にわかる。
演算部２１は、生成した温度ＬＵＴを参照して、選択すべき補正テーブルＲの種類を判定し、判定結果を示す選択信号を画像処理部１１へ出力する。
このような演算部２１は、本発明における選択手段として機能する。
【００６６】
なお、演算部２１は、各画素の照明状況として、ＬＥＤ３２１の輝度ではなく、ＬＥＤ３２１のオン／オフを用いる構成でもよい。或いは、演算部２１は、ＬＥＤ３２１の輝度の変化を用いる構成でもよい。
また、演算部２１は、温度を推定する機能及び補正テーブルＲを選択する機能のみならず、表示装置１の制御中枢としての機能も有する構成であってもよい。
【００６７】
図４及び図５は、演算部２１が実行する画像演算処理の手順を示すフローチャートである。
図４に示すように、演算部２１は、まず、温度ＬＵＴを初期化する（Ｓ１１）。この場合、演算部２１は、図３に示すような温度ＬＵＴの各画素に、無意味な数値を書き込む。
次に、演算部２１は、バックライト制御部３１から輝度信号が入力されたか否かを判定し（Ｓ１２）、まだ入力されていない場合は（Ｓ１２でＮＯ）、Ｓ１２の処理を繰り返し実行する。
【００６８】
バックライト制御部３１から輝度信号が入力された場合（Ｓ１２でＹＥＳ）、演算部２１は、温度センサ２３，２３，…夫々から温度検出結果を取得し（Ｓ１３）、取得した温度検出結果を、温度ＬＵＴに書き込む（Ｓ１４）。更に詳細には、演算部２１は、各温度センサ２３の温度検出結果を、この温度センサ２３の配置位置に対応する矩形表示領域の中心に位置する画素の推定温度として、温度ＬＵＴに書き込む。
以下では、温度ＬＵＴに推定温度が書き込まれた画素を、推定済画素という。また、温度ＬＵＴに推定温度が書き込まれていない画素を、未推定画素という。
Ｓ１４の処理の終了後、演算部２１は、処理をＳ１５へ移す。
【００６９】
演算部２１は、変数ｉ，ｊ夫々を“１”にリセットし（Ｓ１５）、処理をＳ１６へ移す。
次いで、演算部２１は、温度ＬＵＴのｊ本目のラインを選択し（Ｓ１６）、選択したラインをｘ軸方向に走査して、推定済画素及び未推定画素の両方が存在するか否かを判定する（Ｓ１７）。推定済画素及び未推定画素が両方とも存在する場合（Ｓ１７でＹＥＳ）、演算部２１は、ｊ本目のラインの温度分布を推定する温度分布推定処理を行なうサブルーチン（図６及び図７参照）を呼び出し、実行する（Ｓ１８）。
【００７０】
図６及び図７は、演算部２１が実行する温度分布推定処理手順のサブルーチンを示すフローチャートである。
図６に示すように、演算部２１は、変数ｍ，ｎ夫々を“１”にリセットする（Ｓ４１）。
次いで、演算部２１は、ｊ本目のラインのｍ個目の画素が推定済画素であるか否かを判定し（Ｓ４２）、未推定画素である場合（Ｓ４２でＮＯ）、変数ｍを“１”インクリメントして（Ｓ４３）、処理をＳ４２へ戻す。
【００７１】
ｍ個目の画素が推定済画素である場合（Ｓ４２でＹＥＳ）、演算部２１は、ｍ個目の画素を第ｎ画素として特定し（Ｓ４４）、特定した第ｎ画素の輝度を、Ｓ１２で入力された輝度信号に基づいて求める（Ｓ４５）。更に、演算部２１は、第ｎ画素を中心に、温度ＬＵＴをｘ軸方向に走査して、Ｓ４５で求めた輝度に等しい輝度で照明されている画素が連続している範囲を第ｎ領域として特定する（Ｓ４６）。なお、Ｓ４６における演算部２１は、Ｓ４５で求めた輝度を含む所定の範囲の輝度で照明されている画素が連続している範囲を第ｎ領域として特定する構成でもよい。
【００７２】
図２を参照すると、第ｎ領域の一例は、座標（ｘ1 ，ｙ1 ）を含む矩形表示領域（ＬＥＤ３２１が消灯している１個の矩形表示領域）である。また、第ｎ領域の他の一例は、座標（ｘ2 ，ｙ1 ）を含む矩形表示領域及び座標（ｘ3 ，ｙ1 ）を含む矩形表示領域（輝度Ｌ2 で照明されている２個の矩形表示領域）である。
【００７３】
次いで、演算部２１は、温度ＬＵＴにおいて、Ｓ４６で特定した第ｎ領域に、第ｎ画素以外の推定済画素（以下では、他の推定済画素ともいう）が存在するか否かを判定する（Ｓ４７）。
第ｎ領域に含まれている推定済画素が第ｎ画素のみである場合（Ｓ４７でＮＯ）、演算部２１は、温度ＬＵＴにおいて、第ｎ領域に含まれる各未推定画素に、第ｎ画素の推定温度を書き込む（Ｓ４８）。Ｓ４８の処理で推定温度が書き込まれた未推定画素を、以下では、仮推定画素という。
【００７４】
Ｓ４６で特定した第ｎ領域に、第ｎ画素以外の推定済画素が存在する場合（Ｓ４７でＹＥＳ）、演算部２１は、第ｎ画素の推定温度を演算する（Ｓ４９）。Ｓ４９における演算部２１は、第ｎ画素の推定温度と他の推定済画素の推定温度との平均値を演算し、演算結果を第ｎ画素の推定温度とする。ただし、Ｓ４９で求められる推定温度が、第ｎ画素の推定温度と大幅に異なることはない。
なお、Ｓ４９における演算部２１は、平均値を演算する構成に限定されるものではなく、最大値、最小値、又は最頻値等を演算する構成であってもよい。
【００７５】
次いで、演算部２１は、温度ＬＵＴにおいて、第ｎ領域に含まれる未推定画素及び推定済画素夫々に、Ｓ４９の演算結果を書き込む（Ｓ５０）。Ｓ５０の処理で、Ｓ４９の演算結果である推定温度が書き込まれた未推定画素も、以下では、仮推定画素という。
Ｓ４８の処理終了後、又は、Ｓ５０の処理終了後、演算部２１は、演算部２１は、ｊ本目のラインにまだ未推定画素が存在するか否かを判定する（Ｓ５１）。
ｊ本目のラインに未推定画素が存在する場合（Ｓ５１でＹＥＳ）、演算部２１は、第ｎ領域に含まれる画素の内、最もｘ座標値が大きい画素のｘ座標値に“１”を加算した加算結果を、変数ｍに代入し（Ｓ５２）、次いで、演算部２１は、変数ｎを“１”インクリメントし（Ｓ５３）、処理をＳ４２へ戻す。
【００７６】
ｊ本目のラインに、推定済画素及び仮推定画素のみが存在する場合（Ｓ５１でＮＯ）、図７に示すように、演算部２１は、変数ｈを“１”にリセットし（Ｓ６１）、温度ＬＵＴを参照して、第ｈ画素の推定温度Ｔhjと第ｈ＋１画素の推定温度Ｔh+1jとの差の絶対値を演算する（Ｓ６２）。Ｓ６２の演算結果を、以下では温度差ΔＴという。つまり、Ｓ６２における演算部２１は、下記の式（２）を用いて演算する。
ΔＴ＝｜Ｔhj−Ｔh+1j｜…（２）
【００７７】
次に、演算部２１は、後述するように、第ｈ領域と第ｈ＋１領域との境界部の範囲ｋを演算する（Ｓ６３）。
本実施の形態では、演算部２１は、第ｈ領域における境界部の範囲ｋ又は第ｈ＋１領域における境界部の範囲ｋを演算する（図２参照）。範囲ｋは、第ｈ領域と第ｈ＋１領域との境界位置からの距離を示している。Ｓ６３における演算部２１は、下記の式（３）に含まれる変数Δｔに、Ｓ６２で演算した温度差ΔＴを代入することによって、範囲ｋを演算する。
ｋ＝ｆ（Δｔ）…（３）
【００７８】
ここで、関数ｆ（Δｔ）は、少なくとも液晶表示パネル１２における熱の伝達速度に依存する適宜の関数である。なお、関数ｆ（Δｔ）は、熱の伝達速度、及び、第ｈ領域及び第ｈ＋１領域夫々を照射するバックライト３２の輝度差等に依存する関数であってもよい。また、演算部２１は、関数ｆ（Δｔ）ではなく、第ｈ領域における境界部の範囲ｋh と第ｈ＋１領域における境界部の範囲ｋh+1 とを夫々演算する関数を用いる構成であってもよい。
【００７９】
図２においては、第１領域は、座標（ｘ1 ，ｙ1 ）を含む矩形表示領域である。また、第２領域は、座標（ｘ2 ，ｙ1 ）を含む矩形表示領域及び座標（ｘ3 ，ｙ1 ）を含む矩形表示領域である。
Ｓ６２及びＳ６３における演算部２１は、下記の式（４）を演算し、演算結果を式（３）の変数Δｔに代入することによって、範囲ｋを演算する。
ΔＴ＝｜Ｔ11−Ｔ21｜…（４）
【００８０】
第１領域に位置する画素夫々のｘ座標値の内、最大のｘ座標値ｘmax1は、ｘ座標値ｘ1 ＋２であり、第２領域に位置する画素夫々のｘ座標値の内、最小のｘ座標値ｘmin2は、ｘ座標値ｘ2 −２である。
第１領域と第２領域との境界位置は、座標（｛ｘmax1＋ｘmin2｝／２，ｙ1 ）である。従って、座標（｛ｘmax1＋ｘmin2｝／２−ｋ，ｙ1 ）から座標（｛ｘmax1＋ｘmin2｝／２＋ｋ，ｙ1 ）までの範囲が、第ｈ領域と第ｈ＋１領域との境界部である。
【００８１】
Ｓ６３の処理終了後、演算部２１は、範囲ｋが“０．５”以上であるか否かを判定する（Ｓ６４）。Ｓ６４の処理は、第ｈ領域と第ｈ＋１領域との境界部に、画素が含まれるか否かを判定する処理である。
【００８２】
ｋ≧０．５である場合（Ｓ６４でＹＥＳ）、第ｈ領域と第ｈ＋１領域との境界部に少なくとも１個の画素が含まれる。故に、演算部２１は、第ｈ領域に含まれる範囲ｋ以内の各画素と第ｈ＋１領域に含まれる範囲ｋ以内の各画素とを、夫々未推定画素とし（Ｓ６５）、境界部の未推定画素の推定温度を改めて演算し（Ｓ６６）、演算結果を温度ＬＵＴに書き込む（Ｓ６７）。
【００８３】
Ｓ６６における演算部２１は、第ｈ領域及び第ｈ＋１領域の境界位置の座標値と、範囲ｋと、第ｈ画素及び第ｈ＋１画素夫々の推定温度とを用いて、一次関数を求め、求めた一次関数に、未推定画素のｘ座標値Ｘを代入して推定温度Ｔを計算する。このように、本実施の形態では、Ｓ６６の処理で演算部２１が直線近似を行なう構成であるが、演算部２１が折線近似又は曲線近似を行なう構成でもよい。
【００８４】
Ｓ６６の処理が実行された場合、図２に示す第１領域と第２領域との境界部の推定温度Ｔは、下記の式（５）〜式（９）によって演算される。
Ｘ1 ＝｛ｘmax1＋ｘmin2｝／２−ｋ…（５）
Ｘ2 ＝｛ｘmax1＋ｘmin2｝／２＋ｋ…（６）
Ｔ1 ＝Ｔ11…（７）
Ｔ2 ＝（Ｔ21＋Ｔ31）／２…（８）
Ｔ＝｛（Ｔ2 −Ｔ1 ）／（Ｘ2 −Ｘ1 ）｝Ｘ＋（Ｔ1 ×Ｘ2 −Ｔ2 ×Ｘ1 ）／（Ｘ2 −Ｘ1 ）…（９）
【００８５】
Ｓ６７の処理が終了した場合、演算部２１は、処理をＳ６８へ移す。
ｋ＜０．５である場合（Ｓ６４でＮＯ）、第ｈ領域と第ｈ＋１領域との境界部には画素が含まれないため、演算部２１は、Ｓ６５〜Ｓ６７の処理を実行することなく、処理をＳ６８へ移す。
次いで、演算部２１は、第ｈ＋１領域が、ｊ本目のラインの最終領域であるか否かを判定し（Ｓ６８）、最終領域ではない場合（Ｓ６８でＮＯ）、変数ｈを“１”インクリメントし（Ｓ６９）、処理をＳ６２へ戻す。
第ｈ＋１領域が、ｊ本目のラインの最終領域である場合（Ｓ６８でＹＥＳ）、演算部２１は、温度分布推定処理を終了して、処理を元のルーチンへ戻す。
【００８６】
図４に示すＳ１８の処理の終了後、又は、ｊ本目のラインに推定済画素及び未推定画素の少なくとも一方が存在しない場合（Ｓ１７でＮＯ）、演算部２１は、ｊ本目のラインが温度ＬＵＴの最終ラインであるか否かを判定し（Ｓ１９）、最終ラインではない場合（Ｓ１９でＮＯ）、変数ｊを“１”インクリメントし（Ｓ２０）、処理をＳ１６へ戻す。
【００８７】
ｊ本目のラインが温度ＬＵＴの最終ラインである場合（Ｓ１９でＹＥＳ）、図５に示すように、演算部２１は、温度ＬＵＴのｉ本目のカラムを選択し（Ｓ３１）、ｙ軸方向に走査して、推定済画素及び未推定画素の両方が存在するか否かを判定する（Ｓ３２）。推定済画素及び未推定画素が両方とも存在する場合（Ｓ３２でＹＥＳ）、演算部２１は、ｉ本目のカラムの温度分布を推定する温度分布推定処理を行なうサブルーチンを呼び出し、実行する（Ｓ３３）。
【００８８】
Ｓ３３で呼び出すべき温度分布推定処理のサブルーチンは、図６及び図７に示す温度分布推定処理のサブルーチンと略同様である。ただし、図６及び図７に示す温度分布推定処理では、ｊ本目のラインに対してｘ軸方向に各種処理が実行されるが、Ｓ３３で呼び出すべき温度分布推定処理では、ｉ本目のカラムに対してｙ軸方向に各種処理が実行される。このため、Ｓ３３で呼び出すべきサブルーチンの詳述は省略する。
【００８９】
Ｓ３３の処理終了後、又は、ｉ本目のカラムに推定済画素及び未推定画素の少なくとも一方が存在しない場合（Ｓ３２でＮＯ）、演算部２１は、ｉ本目のカラムが温度ＬＵＴの最終カラムであるか否かを判定し（Ｓ３４）、最終カラムではない場合（Ｓ３４でＮＯ）、変数ｉを“１”インクリメントし（Ｓ３５）、処理をＳ３１へ戻す。
ｉ本目のカラムが温度ＬＵＴの最終カラムである場合（Ｓ３４でＹＥＳ）、演算部２１は、温度ＬＵＴの全ての画素に推定温度を書き込み終えたか否かを判定する（Ｓ３６）。
【００９０】
まだ推定温度を書き込んでいない画素が温度ＬＵＴに存在する場合（Ｓ３６でＮＯ）、演算部２１は、現時点で生成されている温度ＬＵＴをコピーすることによって（Ｓ３７）、第１の温度ＬＵＴと第２の温度ＬＵＴとを生成し、図４に示すＳ１５へ処理を戻す。
この後、演算部２１は、第１の温度ＬＵＴに対してＳ１６〜Ｓ２０の一連の処理を実行し、第２の温度ＬＵＴに対してＳ３１〜Ｓ３５の一連の処理を実行する。この結果、第１の温度ＬＵＴには、ｘ軸方向に走査することによって推定した温度分布が記載され、第２の温度ＬＵＴには、ｙ軸方向に走査することによって推定した温度分布が記載される。
【００９１】
温度ＬＵＴの全ての画素に推定温度を書き込み終えた場合（Ｓ３６でＹＥＳ）、演算部２１は、第１の温度ＬＵＴの各画素値と第２の温度ＬＵＴの各画素値とを平均することによって（Ｓ３８）、最終的な温度ＬＵＴを生成する。
最後に、演算部２１は、補正テーブルＲを選択する補正テーブル選択処理を行なうサブルーチン（図８参照）を呼び出し、実行する（Ｓ３９）。
Ｓ３９の処理終了後、演算部２１は、処理をＳ１１へ戻す。
【００９２】
図８は、演算部２１が実行する補正テーブル選択処理手順のサブルーチンを示すフローチャートである。
演算部２１は、座標値ｘ，ｙ夫々を“１”にリセットし（Ｓ７１）、温度ＬＵＴを参照して、座標（ｘ，ｙ）の推定温度Ｔxyを読み出す（Ｓ７２）。
ここで、閾値ＴL1，ＴL2は、ＴL1＜ＴL2の適宜の実数であり、予め演算部２１に与えられているものとする。
演算部２１は、Ｓ７２で読み出した推定温度Ｔxyが閾値閾値ＴL1以下であるか否かを判定し（Ｓ７３）、Ｔxy＞ＴL1である場合（Ｓ７３でＮＯ）、推定温度Ｔxyが閾値閾値ＴL2以上であるか否かを判定する（Ｓ７４）。
【００９３】
Ｔxy≦ＴL1である場合（Ｓ７３でＹＥＳ）、演算部２１は、第１補正テーブルＲ１を選択する（Ｓ７５）。
ＴL1＜Ｔxy＜ＴL2である場合（Ｓ７４でＮＯ）、演算部２１は、第２補正テーブルＲ２を選択する（Ｓ７６）。
Ｔxy≧ＴL2である場合（Ｓ７４でＹＥＳ）、演算部２１は、第３補正テーブルＲ３を選択する（Ｓ７７）。
Ｓ７５、Ｓ７６、又はＳ７７の処理が終了した場合、演算部２１は、Ｓ７５、Ｓ７６、又はＳ７７で選択した補正テーブルＲの種類を示す選択信号を、座標（ｘ，ｙ）に関連付けて、画像処理部１１へ出力する（Ｓ７８）。
【００９４】
なお、複数個の画素が含まれる矩形ブロック夫々について選択信号が入出力される構成である場合、Ｓ７３及びＳ７４の処理で閾値ＴL1，ＴL2と比較すべき推定温度は、矩形ブロックに含まれる各画素の推定温度の平均値、最大値、最小値、又は最頻値等である。
また、表示装置１が、１フレーム毎に選択信号が入出力される構成である場合、Ｓ７３及びＳ７４の処理で閾値ＴL1，ＴL2と比較すべき推定温度は、温度ＬＵＴに含まれる全画素の推定温度の平均値、最大値、最小値、又は最頻値等である。
【００９５】
Ｓ７８の処理終了後、演算部２１は、座標値ｘが最大座標値ｘmax 以上であるか否かを判定し（Ｓ７９）、ｘ＜ｘmax である場合（Ｓ７９でＮＯ）、座標値ｘを“１”インクリメントして（Ｓ８０）、処理をＳ７２へ戻す。
ｘ≧ｘmax である場合（Ｓ７９でＹＥＳ）、演算部２１は、座標値ｙが最大座標値ｙmax 以上であるか否かを判定し（Ｓ８１）、ｙ＜ｙmax である場合（Ｓ８１でＮＯ）、座標値ｘを“１”にリセットし（Ｓ８２）、座標値ｙを“１”インクリメントして（Ｓ８３）、処理をＳ７２へ戻す。
ｙ≧ｙmax である場合（Ｓ８１でＹＥＳ）、演算部２１は、補正テーブル選択処理を終了して、処理を元のルーチンへ戻す。
【００９６】
以上のような表示装置１は、Ｎ個の温度センサ２３，２３，…夫々の温度検出結果とバックライト３２による液晶表示パネル１２の各画素の照明状況とに基づいて、液晶表示パネル１２の正確且つ詳細な温度分布を得ることができる。
また、液晶表示パネル１２の正確且つ詳細な温度分布に基づいて、画素毎に補正テーブルＲを適切に切り替えることが可能である。従って、仮の制御データの各制御値を適切に補正することができる。
この結果、液晶表示パネル１２が表示する動画像の画質を十分に向上させることができる。
【００９７】
ところで、表示装置１は、高温に起因する装置各部への悪影響を抑制すべく、液晶表示パネル１２の温度が所定の上限温度を超過した場合に、表示装置１全体をオフにしたり、バックライト３２の輝度を低下させたりして、液晶表示パネル１２を冷却する温度プロテクト機能を有している。
このために、演算部２１には、高温に弱い部品又は回路の配置位置に対応する座標値が予め与えられている。
【００９８】
演算部２１は、例えば図８に示す補正テーブル選択処理の実行中に、Ｓ７２で推定温度Ｔxyを読み出した座標（ｘ，ｙ）が、高温に弱い部品又は回路の配置位置に対応するか否かを判定する。座標（ｘ，ｙ）に、高温に弱い部品又は回路が存在する場合に、推定温度Ｔxyが所定の上限値を超過しているならば、演算部２１は、温度プロテクト機能を有効にする。
【００９９】
実施の形態  ２．
図９は、本発明の実施の形態２に係る表示装置１が備える液晶表示パネル１２の温度分布を示す特性図である。図９に示す特性図は、実施の形態１の図２に示す特性図に対応する。
本実施の形態の表示装置１は、実施の形態１の表示装置１と略同様の構成である。このため、実施の形態１に対応する部分には同一符号を付してそれらの説明を省略する。
本実施の形態の表示装置１においては、各ＬＥＤ３２１が照明する矩形表示領域の内、温度センサ２３が１個も配置されていない矩形表示領域（以下、無センサ領域という）が存在する。
【０１００】
無センサ領域を照明するバックライト３２の輝度が、この無センサ領域の両隣の矩形表示領域の少なくとも一方を照明するバックライト３２の輝度に等しい場合は、図４及び図５で示した画像演算処理と全く同様の手順で液晶表示パネル１２の各画素の温度を推定することができる。
【０１０１】
しかしながら、図９に示すように、無センサ領域を照明するバックライト３２の輝度が、この無センサ領域の両隣の矩形表示領域を夫々照明するバックライト３２の輝度とは異なる場合は、図４及び図５で示した画像演算処理とは多少異なる同様の手順で液晶表示パネル１２の各画素の温度を推定する必要がある。
【０１０２】
この場合、演算部２１は、無センサ領域を無視して図６及び図７に示すＳ４１〜Ｓ６３の処理を実行し、Ｓ６４でＹＥＳの場合は、Ｓ６５の処理を実行する。
Ｓ６６における演算部２１は、第ｈ領域及び無センサ領域の境界位置の座標値と、無センサ領域及び第ｈ＋１領域の境界位置の座標値と、範囲ｋと、第ｈ画素及び第ｈ＋１画素夫々の推定温度とを用いて、一次関数を求め、求めた一次関数に、未推定画素のｘ座標値Ｘを代入して推定温度Ｔを計算する。この結果、図９に示すグラフＧ３が得られる。
Ｓ６６の処理終了後、演算部２１は、Ｓ６７〜Ｓ６９の処理を実行する。
【０１０３】
Ｓ６４でＮＯの場合、演算部２１は、例えば第ｈ画素及び第ｈ＋１画素夫々の推定温度の平均値を、無センサ領域の各画素の推定温度とし、Ｓ６８以降の処理を実行する。
つまり、本実施の形態における演算部２１は、第ｈ領域における境界部の範囲ｋと、無センサ領域と、第ｈ＋１領域における境界部の範囲ｋとの和を、第ｈ領域と第ｈ＋１領域との境界部と看做し、第ｈ画素及び第ｈ＋１画素夫々の推定温度を用いて、境界部に位置する各画素の温度を推定する
以上のような表示装置１は、実施の形態１の表示装置１と同様の効果を奏する。
【０１０４】
なお、演算部２１が、無センサ領域の輝度と推定温度との関係を示すテーブル又は関数等の補完手段を有する構成でもよい。この場合、演算部２１は、無センサ領域の推定温度を、第１画素及び第２画素夫々の推定温度と補完手段とに基づいて演算する。このような補完手段は、予め演算部２１に与えられていてもよい。又は、このような補完手段を、第１画素及び第２画素夫々の輝度及び推定温度と無センサ領域の輝度とに基づいて演算部２１が予め生成しておく構成でもよい。
【０１０５】
実施の形態  ３．
図１０は、本発明の実施の形態３に係る表示装置１の要部構成を示すブロック図である。図１０に示すブロック図は、実施の形態１の図１に示すブロック図に対応する。
本実施の形態の表示装置１は、実施の形態１の表示装置１と略同様の構成である。このため、実施の形態１に対応する部分には同一符号を付してそれらの説明を省略する。
本実施の形態の表示装置１は、変動検知部４１、位置フィルタ処理部４２、面積フィルタ処理部４３、及び速度フィルタ処理部４４を更に備える。
【０１０６】
画像受信部１０は、画像送信装置から表示装置１へ時系列的に送信される画像データを受信し、受信した画像データを１フレーム分ずつ、画像処理部１１、フレームメモリ１４、バックライト制御部３１、及び変動検知部４１夫々へ出力する。
フレームメモリ１４に記憶されている画像データは、この画像データの１フレーム後の画像データがフレームメモリ１４に入力される場合に、フレームメモリ１４から読み出されて、画像処理部１１及び変動検出部４１夫々へ出力される。
【０１０７】
ユーザは、液晶表示パネル１２の全表示領域の内、動画像が小さく変動する領域よりも、動画像が大きく変動する領域に注目し易い。
そこで、変動検知部４１は、現在画像データ及び過去画像データ夫々の各画素値の差に基づき、現在画像データの各画素の変動量を検知する（特許文献１，２参照）。このような変動検知部４１は、本発明における変動検知手段として機能する。
次いで、変動検知部４１は、各画素の変動検知結果を示すテーブルを、位置フィルタ処理部４２へ出力する。
【０１０８】
ユーザは、液晶表示パネル１２の周縁部分よりも、中央部分に注目し易い。
そこで、位置フィルタ処理部４２は、入力されたテーブルから、液晶表示パネル１２の周縁部分に位置する画素を除去する。次いで、位置フィルタ処理部４２は、液晶表示パネル１２の中央部分に位置する画素の変動検知結果を示すテーブルを、面積フィルタ処理部４３へ出力する。
【０１０９】
ユーザは、動画像が変動する部分の面積が狭い領域よりも、動画像が変動する部分の面積が広い領域よりに注目し易い。
そこで、面積フィルタ処理部４３は、入力されたテーブルを参照して、変動検知結果が類似している画素が隣接している領域の面積を演算し、入力されたテーブルから、面積が相対的に狭い領域に位置する画素を除去する。次いで、面積フィルタ処理部４３は、面積が相対的に広い領域に位置する画素の変動検知結果を示すテーブルを、速度フィルタ処理部４４へ出力する。
【０１１０】
ユーザは、動画像が変動する速度が遅い領域よりも、動画像が変動する速度が速い領域よりに注目し易い。
そこで、速度フィルタ処理部４４は、入力されたテーブルから、所定値以下の変動検知結果を有する画素を除去する。次いで、速度フィルタ処理部４４は、残りの画素の変動検知結果を有するテーブルを、演算部２１へ出力する。
速度フィルタ処理部４４から出力されるテーブルのデータ量は、変動検知部４１から出力されるテーブルのデータ量よりも少ない。従って、後段の演算負荷を軽減することができる。
【０１１１】
演算部２１は、実施の形態１の図５に示すＳ３８の処理で生成した最終的な温度ＬＵＴを、速度フィルタ処理部４４から入力されたテーブルに示されている変動検知結果の大小に応じて重み付けする。この場合、変動検知結果が大きい画素の推定温度は大きく重み付けされ、変動検知結果が小さい画素の推定温度は小さく重み付けされ、変動検知結果に対応していない画素の推定温度は重み付けされない。
この後、演算部２１は、実施の形態１と同様に、図５に示すＳ３９の処理を実行する。
このとき、画像処理部１１は、仮の制御データを生成し、画素毎に補正テーブルＲを切り替えつつ、生成した仮の制御データを補正する。
【０１１２】
或いは、演算部２１は、入力されたテーブルを参照し、変動検知結果が最も大きい画素の推定温度、又は、変動検知結果が最も大きいブロックに含まれる画素の推定温度を平均してなる推定温度等を、実施の形態１の図５に示すＳ３８の処理で生成した最終的な温度ＬＵＴから取得する。
この場合、図５に示すＳ３９の処理は実行されない。その代わり、演算部２１は、最終的な温度ＬＵＴから取得した推定温度に基づいて、実施の形態１の図８に示すＳ７３〜Ｓ７７の処理に相当する処理を実行し、選択した補正テーブルＲの種類を示す選択信号を、画像処理部１１へ出力する。
このとき、画像処理部１１は、仮の制御データを生成し、何れかひとつの補正テーブルＲのみを参照しつつ、生成した仮の制御データを補正する。
【０１１３】
以上のような表示装置１においては、ユーザが最も注目し易い部分の画質を十分に向上させることができる。たとえ、ユーザが全く注目しない部分の画質がほとんど向上されていないとしても、問題にはならない。
【０１１４】
ところで、実施の形態１〜３における演算部２１は、バックライト３２を熱源と看做して、液晶表示パネル１２の温度を推定している。しかしながら、液晶表示パネル１２の近傍に配置されている熱源は、バックライト３２だけではない。このような熱源としては、例えば表示装置１の各部に電力を供給する電源回路が挙げられる。
そこで、各熱源の配置位置を、演算部２１に予め与えることが考えられる。この場合、演算部２１が、生成した温度ＬＵＴに記載されている各画素の推定温度を、各熱源の配置位置に基づいて補正することによって、更に正確な温度分布を得ることができる。
【０１１５】
なお、今回開示された実施の形態は、全ての点で例示であって、制限的なものではないと考えられるべきである。本発明の範囲は、上述した意味ではなく、特許請求の範囲と均等の意味及び特許請求の範囲内での全ての変更が含まれることが意図される。例えば、本実施の形態では、表示装置１として液晶表示装置を例示したが、これに限定されるものではない。
また、本発明の効果がある限りにおいて、表示装置１に、実施の形態１〜３に開示されていない構成要素が含まれていてもよい。
【符号の説明】
【０１１６】
１    表示装置
１１  画像処理部
１２  液晶表示パネル（表示パネル）
２１  演算部（温度推定手段、選択手段）
２３  温度センサ
３２  バックライト
４１  変動検出部（変動検知手段）
Ｒ１  第１補正テーブル（生成手段）
Ｒ２  第２補正テーブル（生成手段）
Ｒ３  第３補正テーブル（生成手段）
【図１】
2010262240.tif 000003
【図２】
2010262240.tif 000004
【図３】
2010262240.tif 000005
【図４】
2010262240.tif 000006
【図５】
2010262240.tif 000007
【図６】
2010262240.tif 000008
【図７】
2010262240.tif 000009
【図８】
2010262240.tif 000010
【図９】
2010262240.tif 000011
【図１０】
2010262240.tif 000012